【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
輸送手段が拠点を巡回することによって、前記拠点に物品が配送される配送方式を実現する計算機システムであって、
前記計算機システムは、前記物品が出荷される拠点に設置される出荷拠点端末と、前記物品が入荷される拠点に設置される入荷拠点端末と、前記輸送手段に設置される輸送端末と、前記配送される物品に関する情報を管理する情報管理計算機と、を備え、
前記計算機システムは、前記配送される物品の属性情報を記憶し、
前記情報管理計算機は、
前記輸送手段が前記物品を前記拠点に配送する計画を含む配送計画情報を記憶し、
前記拠点から出荷される物品の配送を依頼する出荷予定情報を、前記出荷拠点端末から受信すると、前記配送計画情報を参照し、前記配送が依頼された物品が前記輸送手段に積載できるか否かを判定し、
前記配送が依頼された物品が前記輸送手段に積載できないと判定された場合、前記配送が依頼された物品の属性情報を参照し、前記配送が計画された物品から、前記配送が依頼された物品と入れ替える物品を選択し、
前記選択された物品と前記配送が依頼された物品とを入れ替えるように前記配送計画情報を修正し、
前記輸送端末、前記出荷拠点端末及び前記入荷拠点端末に、前記修正された配送計画情報を送信し、
前記輸送端末、前記出荷拠点端末及び前記入荷拠点端末は、前記情報管理計算機によって送信された配送計画情報を表示することを特徴とする計算機システム。
【請求項２】
前記配送される物品の属性情報は、前記配送される物品の必要性及び緊急性の少なくとも一方を示す優先度を含み、
前記情報管理計算機は、
前記配送が依頼された物品の優先度及び前記配送が計画された物品の優先度を参照し、前記配送が計画された物品から、前記配送が依頼された物品の優先度よりも小さい優先度の配送が計画された物品を、前記配送が依頼された物品と入れ替える物品として選択し、
前記選択された物品と前記配送が依頼された物品とを入れ替えるように前記配送計画情報を修正することを特徴とする請求項１に記載の計算機システム。
【請求項３】
前記配送される物品には、前記物品を一意に識別するための識別情報を記憶するタグが付され、
前記出荷拠点端末及び前記入荷拠点端末は、前記タグに記憶される識別情報を読み取る読取部を備え、
前記出荷拠点端末及び前記入荷拠点端末は、前記配送される物品に付されるタグに記憶された識別情報を読み取り、前記読み取られた識別情報を前記情報管理計算機に送信し、
前記情報管理計算機は、
前記読み取られた識別情報を受信すると、前記受信した識別情報を記憶し、
前記記憶された識別情報に基づいて、前記配送計画情報に含まれる計画から、未だ配送されていない計画を特定し、
前記特定された計画を修正することを特徴とする請求項１に記載の計算機システム。
【請求項４】
前記配送される物品が輸送梱包によって梱包されている場合、
前記計算機システムは、前記配送される物品を梱包する輸送梱包の属性情報を記憶し、
前記情報管理計算機は、
前記配送が計画された物品を梱包する輸送梱包の属性情報及び前記配送が依頼された物品の属性情報を参照し、前記配送が計画された物品を梱包する輸送梱包から、前記配送が依頼された物品と入れ替える輸送梱包を選択し、
前記選択された輸送梱包と前記配送が依頼された物品とを入れ替えるように前記配送計画情報を修正することを特徴とする請求項１に記載の計算機システム。
【請求項５】
前記情報管理計算機は、
前記配送計画情報が修正された場合、前記配送計画情報が修正された履歴を前記拠点毎に記憶し、
前記記憶された配送計画情報が修正された履歴に基づいて、前記配送計画情報が修正された修正回数及び前記配送が依頼された物品と入れ替えられる物品として選択された選択回数を前記拠点毎に算出し、
前記配送計画情報が一回修正された場合に加算される予め設定された数値を前記修正回数に加算することによって第一数値を算出し、
前記選択回数に対応する予め設定された数値に基づいて、第二数値を算出し、
前記算出された第一数値と前記算出された第二数値とを加算することによって、前記拠点毎に利用ポイントを算出することを特徴とする請求項１に記載の計算機システム。
【請求項６】
輸送手段が拠点を巡回することによって、前記拠点に物品が配送される配送方式を実現する計算機システムにおける情報管理方法であって、
前記計算機システムは、前記物品が出荷される拠点に設置される出荷拠点端末と、前記物品が入荷される拠点に設置される入荷拠点端末と、前記輸送手段に設置される輸送端末と、前記配送される物品に関する情報を管理する情報管理計算機と、を備え、
前記計算機システムは、前記配送される物品の属性情報を記憶し、
前記情報管理方法は、
前記輸送手段が前記物品を前記拠点に配送する計画を含む配送計画情報を前記情報管理計算機に記憶し、
前記拠点から出荷される物品の配送を依頼する出荷予定情報を、前記出荷拠点端末から受信すると、前記配送計画情報を参照し、前記配送が依頼された物品が前記輸送手段に積載できるか否かを判定し、
前記配送が依頼された物品が前記輸送手段に積載できないと判定された場合、前記配送が依頼された物品の属性情報を参照し、前記配送が計画された物品から、前記配送が依頼された物品と入れ替える物品を選択し、
前記選択された物品と前記配送が依頼された物品とを入れ替えるように前記配送計画情報を修正し、
前記輸送端末、前記出荷拠点端末及び前記入荷拠点端末に、前記修正された配送計画情報を送信し、
前記輸送端末、前記出荷拠点端末及び前記入荷拠点端末は、前記送信された配送計画情報を表示することを特徴とする情報管理方法。
【請求項７】
前記配送される物品の属性情報は、前記配送される物品の必要性及び緊急性の少なくとも一方を示す優先度を含み、
前記情報管理方法は、
前記配送が依頼された物品の優先度及び前記配送が計画された物品の優先度を参照し、前記配送が計画された物品から、前記配送が依頼された物品の優先度よりも小さい優先度の配送が計画された物品を、前記配送が依頼された物品と入れ替える物品として選択し、
前記選択された物品と前記配送が依頼された物品とを入れ替えるように前記配送計画情報を修正することを特徴とする請求項６に記載の情報管理方法。
【請求項８】
前記配送される物品には、前記物品を一意に識別するための識別情報を記憶するタグが付され、
前記出荷拠点端末及び前記入荷拠点端末は、前記タグに記憶される識別情報を読み取る読取部を備え、
前記出荷拠点端末及び前記入荷拠点端末は、前記配送される物品に付されるタグに記憶された識別情報を読み取り、前記読み取られた識別情報を前記情報管理計算機に送信し、
前記情報管理方法は、
前記読み取られた識別情報を受信すると、前記受信した識別情報を記憶し、
前記記憶された識別情報に基づいて、前記配送計画情報に含まれる計画から、未だ配送されていない計画を特定し、
前記特定された計画を修正することを特徴とする請求項６に記載の情報管理方法。
【請求項９】
前記配送される物品が輸送梱包によって梱包されている場合、
前記計算機システムは、前記配送される物品を梱包する輸送梱包の属性情報を記憶し、
前記情報管理方法は、
前記配送が計画された物品を梱包する輸送梱包の属性情報及び前記配送が依頼された物品の属性情報を参照し、前記配送が計画された物品を梱包する輸送梱包から、前記配送が依頼された物品と入れ替える輸送梱包を選択し、
前記選択された輸送梱包と前記配送が依頼された物品とを入れ替えるように前記配送計画情報を修正することを特徴とする請求項６に記載の情報管理方法。
【請求項１０】
前記情報管理方法は、
前記配送計画情報が修正された場合、前記配送計画情報が修正された履歴を前記拠点毎に記憶し、
前記記憶された配送計画情報が修正された履歴に基づいて、前記配送計画情報が修正された修正回数及び前記配送が依頼された物品と入れ替えられる物品として選択された選択回数を前記拠点毎に算出し、
前記配送計画情報が一回修正された場合に加算される予め設定された数値を前記修正回数に加算することによって第一数値を算出し、
前記修正回数に対応する予め設定された数値に基づいて、第二数値を算出し、
前記算出された第一数値と前記算出された第二数値とを加算することによって、前記拠点毎に利用ポイントを算出することを特徴とする請求項６に記載の情報管理方法。